(57)【特許請求の範囲】
【請求項１】
収容空間を有するケースに開口部を設け、当該開口部に蓋を開閉自在に設けた開閉蓋装置において、
前記蓋が下方へ下がった状態では前記開口部を塞ぐ一方、上がった状態では前記開口部が開いた状態を保持する保持手段を設け、
該保持手段は、前記蓋の上部両側に一対の軸を設けるとともに夫々の軸を支持する軸受を前記ケースの開口部に設け、
夫々の軸の断面形状を、蓋の厚さ方向へ短い短軸と当該短軸と直角な方向へ長い長軸とを有する細長形状に設定する一方、夫々の軸受の孔の形状を、前記軸を縦長に収容する下部の縦長形状の孔と、前記軸を横長に収容する上部の横長形状の孔とをつないだ形状に設定したことを特徴とする開閉蓋装置。
【請求項２】
閉じた蓋が開くのを防止するためのストッパを、下方から上方へ突出する状態で前記ケースに設けたことを特徴とする請求項１に記載の開閉蓋装置。
【請求項３】
収容空間を有するケースに開口部を設け、当該開口部に蓋を開閉自在に設けた開閉蓋装置において、
前記蓋が下方へ下がった状態では前記開口部を塞ぐ一方、上がった状態では前記開口部が開いた状態を保持する保持手段を設け、
該保持手段は、前記蓋の上部両側に一対の軸を設けるとともに夫々の軸を支持する軸受を前記ケースの開口部に設け、
夫々の軸の断面形状を、蓋の厚さ方向へ長い長軸と当該長軸と直角な方向へ短い短軸とを有する細長形状に設定する一方、夫々の軸受の孔の形状を、前記軸を横長に収容する下部の横長形状の孔と、前記軸を縦長に収容する上部の縦長形状の孔とをつないだ形状に設定したことを特徴とする開閉蓋装置。
【発明の詳細な説明】
【０００１】
【発明の属する技術分野】
本発明は開閉蓋装置に関し、蓋を開いた状態で保持できるようにしたものである。
【０００２】
【従来の技術】
バッテリーなどの交換部品をストックしておく場合は、図４に示すようにケース１の開口部１ａに開閉自在な蓋２を設け、ケース１の内部に交換部品を収容している。
【０００３】
蓋２の取り付けは以下のようにして行われている。一対の軸受３には鉛直方向へ長い長孔３ａが形成され、蓋２の上部に固着された一対の軸２ａが長孔３ａに挿通されている。一方、ケース１の下部には一対のＬ字形のストッパ４が一体に固着されている。
【０００４】
蓋２が閉じた状態では一対のストッパ４の存在により、蓋２は回動することができない。蓋２を開く場合は、蓋２を上方へ少し持ち上げて回動させることによりストッパ４に干渉することなく開くことができる。一方の手で蓋２の開口端を支持した状態で、他方の手で交換部品をケース１の内部へ出し入れしたのち、蓋２を回動させて閉じ、少し持ち上げるようにして蓋２の開口端をストッパ４とケース１との間へ降ろす。
【０００５】
【発明が解決しようとする課題】
ところが、開口部から交換部品を出し入れする際に蓋の開口端が下がらないように支持していなければならず、面倒である。
【０００６】
そこで本発明は、斯かる課題を解決した開閉蓋装置を提供することを目的とする。
【０００７】
【課題を解決するための手段】
斯かる目的を達成するための請求項１に係る開閉蓋装置の構成は、収容空間を有するケースに開口部を設け、当該開口部に蓋を開閉自在に設けた開閉蓋装置において、前記蓋が下方へ下がった状態では前記開口部を塞ぐ一方、上がった状態では前記開口部が開いた状態を保持する保持手段を設け、該保持手段は、前記蓋の上部両側に一対の軸を設けるとともに夫々の軸を支持する軸受を前記ケースの開口部に設け、夫々の軸の断面形状を、蓋の厚さ方向へ短い短軸と当該短軸と直角な方向へ長い長軸とを有する細長形状に設定する一方、夫々の軸受の孔の形状を、前記軸を縦長に収容する下部の縦長形状の孔と、前記軸を横長に収容する上部の横長形状の孔とをつないだ形状に設定したことを特徴とし、
請求項２に係る開閉蓋装置の構成は、請求項１に記載の開閉蓋装置において、閉じた蓋が開くのを防止するためのストッパを、下方から上方へ突出する状態で前記ケースに設けたことを特徴とし、
請求項３に係る開閉蓋装置の構成は、収容空間を有するケースに開口部を設け、当該開口部に蓋を開閉自在に設けた開閉蓋装置において、前記蓋が下方へ下がった状態では前記開口部を塞ぐ一方、上がった状態では前記開口部が開いた状態を保持する保持手段を設け、該保持手段は、前記蓋の上部両側に一対の軸を設けるとともに夫々の軸を支持する軸受を前記ケースの開口部に設け、夫々の軸の断面形状を、蓋の厚さ方向へ長い長軸と当該長軸と直角な方向へ短い短軸とを有する細長形状に設定する一方、夫々の軸受の孔の形状を、前記軸を横長に収容する下部の横長形状の孔と、前記軸を縦長に収容する上部の縦長形状の孔とをつないだ形状に設定したことを特徴とする。
【０００８】
【発明の実施の形態】
以下、本発明による開閉蓋装置の実施の形態を説明する。なお、この実施の形態は従来の開閉蓋装置の一部を改良したものなので、従来と同一部分には同一符号を付して説明を省略し、異なる部分のみを説明する。
【０００９】
（ａ）実施の形態１
まず、実施の形態１について説明する。この実施の形態は、軸と軸受の部分に改良を加えることにより、蓋を開けた状態に保持する保持手段を構成したものである。
【００１０】
図２に示すように一対の軸２ｂは、その断面形状が、細長形状として、長方形の四隅を面取りした形状になっている。つまり、軸２ｂは、蓋２の厚さ方向へ短い短軸ａと、短軸ａと直角な長軸ｂとを有している。
【００１１】
一方、軸受３には複合孔３ｂが形成されている。複合孔３ｂは孔３ｃと孔３ｄとによって構成されており、両者がつながった状態となっている。孔３ｃは鉛直方向へ長い縦長の孔であり、孔３ｄは水平方向へ長い横長の孔であり、いずれも短軸Ａ、長軸Ｂとなっている。ここで、寸法Ａは寸法ａより少し大きく、寸法Ｂは寸法ｂより少し大きな値となっている。
【００１２】
このほか、ストッパ４には凸部４ａが形成される一方、蓋２には凹部２ｃが形成されている。
【００１３】
次に、斯かる開閉蓋装置の作用を説明する。蓋２が閉じた状態では、図２のように軸２ｂは蓋２の重さにより下がって孔３ｃ内に位置し、蓋２の下部がストッパ４の内側に位置するために蓋２を開くことができない。
【００１４】
蓋２を開く場合は蓋２の下端を持って押し上げ、軸２ｂが孔３ｄの位置まで上がったら蓋２を手前に持ち上げて開く。蓋２の下端がストッパ４より高くなってから開くので、蓋２がストッパ４に干渉することはない。蓋２を手前へ少し引いた状態で蓋２から手を放すと、軸２ｂの手前側が支持部３ｅに当接するため、蓋２の開口端が自重で下方へ回動しようとするのが拘束され、蓋２が開いたままで保持される。
【００１５】
この状態で開口部１ａからケース１の内部へ交換部品を入れたり取り出したりする。
【００１６】
蓋２を閉じる場合は、図２に仮想線で示す開いた状態から蓋２を少し押す。すると軸２ｂが支持部３ｅから外れ、蓋２が自重で下方へ向かって回動する。蓋２が回動して鉛直面と平行になると軸２ｂの長軸ｂも鉛直軸と平行になるため、軸２ｂは蓋２の重さによって孔３ｃの中へ降下する。このため、蓋２の下端はストッパ４の内側へはいり込む。
【００１７】
（ｂ）実施の形態２
次に、実施の形態２を図３に基づいて説明する。図３に示すように、実施の形態１とは逆に軸２ｂの長軸ｂの方向は蓋２の厚さ方向に沿って設けられている。一方、軸受３についても、鉛直方向へ長い縦長の孔３ｃと水平方向へ長い横長の孔３ｄとの高さ位置が、実施の形態１とは逆の配置になっている。
【００１８】
このほか、蓋２が閉じた状態から上方へ向かって移動できる寸法は小さいので、蓋２が閉じたときの蓋２の下端とストッパ４の上端との重なり寸法ｈは数ｍｍの小さな値となっている。
【００１９】
次に、斯かる開閉蓋装置の作用を説明する。図３に示すように蓋２が閉じた状態では蓋２の下端はストッパ４の内側にはいっている。蓋２を開くには、蓋２を上方へ少し持ち上げて手前に引くようにして回動させる。約９０度回動させたら、蓋２の全体を少し持ち上げるようにして軸２ｂを孔３ｃの位置まで移動させる。このあと、蓋２の手前側を放すと、蓋２が軸２ｂを中心として回動しようとすることから、軸２ｂと軸受３との間に摩擦力が作用し、蓋２は開いた状態を保持する。
【００２０】
蓋２を閉じる場合は、蓋２の手前側を少し持ち上げたのちに蓋２の全体をゆっくりと下げ、軸２ｂが孔３ｄまで下がったら蓋２が自重により下方へ向かって回動するのを許容する。最後に蓋２の下端を少しだけ持ち上げてストッパ４の上を乗り越えさせればよい。
【００２１】
なお、ストッパ４は必ずしも設けなくてもよい。また、軸２ｂの断面形状は長方形の四隅を面取りした形状にしたが、楕円形でもよい。つまり、長軸と短軸とを有する細長い形状であればよい。
【００２２】
【発明の効果】
以上の説明からわかるように、請求項１〜３に係る開閉蓋装置によれば蓋に設けた軸の断面形状を長軸と短軸とを有する細長形状とし、軸受には細長形状の軸を縦にした断面形状と対応する縦長の孔と横にした断面形状と対応する横長の孔とをつないだ形状に設定したので、蓋を開いた状態及び閉じた状態で保持することができる。従って、ケースの開口部から収容空間への交換部品等の出し入れの作業が容易になる。
【図面の簡単な説明】
【図１】本発明による開閉蓋装置の実施の形態１を示す斜視図。
【図２】本発明による開閉蓋装置の実施の形態１を示す断面図。
【図３】本発明による開閉蓋装置の実施の形態２を示す断面図。
【図４】従来の開閉蓋装置の斜視図。
【符号の説明】
１…ケース
１ａ…開口部
２…蓋
２ｂ…軸
３…軸受
３ｂ…複合孔
３ｃ，３ｄ…孔
４…ストッパ
【図１】
0004396001.tif 000002
【図２】
0004396001.tif 000003
【図３】
0004396001.tif 000004
【図４】
0004396001.tif 000005